(57)【要約】【課題】光源が発光している時間を長くすることができるとともに、混色を抑制することが可能な液晶表示装置を提供する。【解決手段】この液晶表示装置（フィールドシーケンシャル液晶表示装置１００）は、複数の画素２２と、赤色、緑色および青色を発光する複数のＬＥＤ２８ａ〜２８ｃとを備え、画素２２に画像データを書き込みながら、赤色、緑色および青色のＬＥＤ２８ａ〜２８ｃのうちの１つを発光させるとともに、赤色、緑色および青色のＬＥＤ２８ａ〜２８ｃのうちの１つとは異なる色のＬＥＤ２８ａ〜２８ｃが発光される前に赤色、緑色および青色のＬＥＤ２８ａ〜２８ｃのうちの１つの発光を停止するように構成されている。【選択図】図１
2008241961.tif 000002
【特許請求の範囲】
【請求項１】
複数の画素と、
それぞれ異なる色を発光する複数の光源とを備え、
前記画素に画像データを書き込みながら、前記異なる色のうちの第１の色を発光する光源を発光させるとともに、第２の色を発光する前記光源が発光される前に前記第１の色を発光する光源の発光を停止するように構成されている、液晶表示装置。
【請求項２】
前記光源は、前記複数の画素のうちの最初に前記画像データが書き込まれる前記画素の液晶の応答時間の経過後、発光するように構成されている、請求項１に記載の液晶表示装置。
【請求項３】
前記光源は、前記複数の画素に前記画像データが書き込まれる前に、発光するように構成されている、請求項１に記載の液晶表示装置。
【請求項４】
前記光源の発光が開始される前に、前記複数の画素の全てに黒色の画像データが書き込まれるように構成されている、請求項１〜３のいずれか１項に記載の液晶表示装置。
【請求項５】
前記複数の画素の全てに前記画像データを書き込んだ後で、かつ、前記第１の色を発光する光源の発光が停止された後の垂直帰線期間に、前記複数の画素の全てに前記黒色の画像データが書き込まれるように構成されている、請求項４に記載の液晶表示装置。
【請求項６】
前記複数の光源の少なくとも１つは、１つの画面が表示されている期間内に２回づつ発光する、請求項１〜５のいずれか１項に記載の液晶表示装置。
【請求項７】
前記光源の１回目の発光が行われているときの前記画像データの書込みは第１の順序で行われるとともに、２回目の発光が行われているときの前記画像データの書込みは前記第１の順序とは逆の第２の順序で行われる、請求項６に記載の液晶表示装置。
【発明の詳細な説明】
【技術分野】
【０００１】
本発明は、液晶表示装置に関し、特に、フィールドシーケンシャル液晶表示装置に関する。
【背景技術】
【０００２】
従来、１フレーム期間に赤画像の書込み、赤バックライトの発光、緑画像の書込み、緑バックライトの発光、青画像の書込み、および、青バックライトの発光を順次行うことによって、人間の目の残像現象によりカラーの画像を認識させるフィールドシーケンシャル液晶表示装置が知られている（たとえば、特許文献１参照）。
【０００３】
上記特許文献１による液晶表示装置では、フィールドシーケンシャル液晶表示装置の画面領域を所定数の画素行ごとに区分するとともに、区分された画面領域の領域ごとに複数の単位色の光を発光する光源を配置し、区分された画面領域のうちの１つの領域が発光している期間に、隣接している区分された画面領域に画像データが書き込まれる。これにより、全ての画素に画像データが書き込まれた後に光源を発光させる場合に比べて、全ての画素に画像データが書き込まれるまで発光を待たなくてよいので、光源が発光している時間を長くすることが可能となる。その結果、フィールドシーケンシャル液晶表示装置の表示を明るくすることが可能となる。
【０００４】
【特許文献１】特開２００２−２２１７０２号公報
【発明の開示】
【発明が解決しようとする課題】
【０００５】
しかしながら、上記特許文献１に記載のフィールドシーケンシャル液晶表示装置では、区分された画面領域において異なる色の光源が発光する場合に、各画面領域が接する部分において光漏れに起因する混色が起こるという問題点がある。
【０００６】
この発明は、上記のような課題を解決するためになされたものであり、この発明の１つの目的は、光源が発光している時間を長くすることができるとともに、混色を抑制することが可能な液晶表示装置を提供することである。
【課題を解決するための手段および発明の効果】
【０００７】
この発明の一の局面による液晶表示装置は、複数の画素と、それぞれ異なる色を発光する複数の光源とを備え、画素に画像データを書き込みながら、異なる色のうちの第１の色を発光する光源を発光させるとともに、第２の色を発光する光源が発光される前に第１の色を発光する光源の発光を停止するように構成されている。
【０００８】
この一の局面による液晶表示装置では、上記のように、画素に画像データを書き込みながら、異なる色のうちの第１の色を発光する光源を発光させることによって、複数の画素の全てに画像データが書き込まれた後に光源が発光するように構成する場合に比べて、光源が発光している時間をより長くすることができるので、液晶表示装置の表示を明るくすることができる。また、異なる色のうちの第１の色を発光する光源を発光させるとともに、第２の色を発光する光源が発光される前に第１の色を発光する光源の発光を停止するように構成することによって、複数の光源が同時に発光することが抑制されるので、複数の画素が配置される画素領域において混色が起こるのを抑制することができる。
【０００９】
上記一の局面による液晶表示装置において、好ましくは、光源は、複数の画素のうちの最初に画像データが書き込まれる画素の液晶の応答時間の経過後、発光するように構成されている。このように構成すれば、複数の画素の全てについて、画素の液晶の応答時間が経過した後に、光源が発光するように構成する場合に比べて、光源が発光している時間をより長くすることができるので、液晶表示装置の表示を明るくすることができる。
【００１０】
上記一の局面による液晶表示装置において、好ましくは、光源は、複数の画素に画像データが書き込まれる前に、発光するように構成されている。このように構成すれば、複数の画素の全てに画像データが書き込まれ、画素の液晶の応答時間が経過した後に、光源が発光するように構成する場合に比べて、光源が発光している時間を長くすることができるので、液晶表示装置の表示を明るくすることができる。
【００１１】
上記一の局面による液晶表示装置おいて、好ましくは、光源の発光が開始される前に、複数の画素の全てに黒色の画像データが書き込まれるように構成されている。このように構成すれば、黒色の画像データの書込みにより、黒色の画像データが書き込まれる以前のデータが消去されるので、画素に画像データを書き込みながら、第１の色を発光する光源が発光するように構成しても、以前のデータの画像が表示されてしまうのを抑制することができる。
【００１２】
この場合、好ましくは、複数の画素の全てに画像データを書き込んだ後で、かつ、第１の色を発光する光源の発光が停止された後の垂直帰線期間に、複数の画素の全てに黒色の画像データが書き込まれるように構成されている。このように構成すれば、容易に、画像データの画像を表示することと、書き込まれた画像データを消去することとを行うことができる。
【００１３】
上記一の局面による液晶表示装置おいて、好ましくは、複数の光源の発光の少なくとも１つは、１つの画面が表示されている期間内に２回づつ発光する。このように構成すれば、複数の光源の発光が、１つの画面が表示されている期間内に１回づつ行われる場合に比べて、１つの光源の発光時間が短くなるので、目の動きに対して色残りを小さくすることができる。その結果、画面の中で視線を早く移動させたときに虹模様が見える、カラーブレークアップが起こるのを抑制することができる。
【００１４】
この場合、好ましくは、光源の１回目の発光が行われているときの画像データの書込みは第１の順序で行われるとともに、２回目の発光が行われているときの画像データの書込みは第１の順序とは逆の第２の順序で行われる。このように構成すれば、光源の各色のそれぞれについて、１つの画面が表示される期間内に画像データが第１の順序とその逆の第２の順序とによって書き込まれるので、複数の画素のそれぞれにおいて、画像データが書き込まれてから光源の発光が停止されるまでの期間が１つの画面が表示される期間内で平均化される。これにより、画面の明るさにばらつきが生じるのを抑制することができる。
【００１５】
なお、上記の構成において、以下のように構成してもよい。
【００１６】
上記した複数の画素の全てに黒色の画像データが書き込まれる液晶表示装置おいて、好ましくは、画素への黒色の画像データの書込みの制御を行う黒色書込み回路をさらに備える。このように構成すれば、容易に、画素への黒色の画像データの書込み信号を供給することができる。
【００１７】
この場合、好ましくは、黒色書込み回路は、複数の画素の全てに一斉に黒色の画像データを書き込むように構成されている。このように構成すれば、制御が簡素化されるので、複数の画素への黒色の書込み時間を短くすることができる。これにより、光源の発光時間を長くすることができる。
【００１８】
上記した複数の光源の発光が１つの画面が表示されている期間内にそれぞれ２回づつ行われる液晶表示装置おいて、１つの画面が表示されている期間内に、画像データの書込みが第１の順序で行われる動作と、第１の順序とは逆の第２の順序で行われる動作とが交互に行われるようにしてもよい。このように構成すれば、たとえば、赤色、緑色および青色の光源が順次２回づつ発光される場合、それぞれの色の発光期間に画像データが第１の順序と第２の順序とによって書き込まれるので、複数の画素のそれぞれにおいて、画像データが書き込まれてから光源の発光が停止されるまでの期間が１つの画面が表示される期間内で平均化される。これにより、画面の明るさにばらつきが生じるのを抑制することができる。
【００１９】
上記した複数の光源の発光が１つの画面が表示されている期間内にそれぞれ２回づつ行われる液晶表示装置おいて、好ましくは、複数の画素への画像データの書込みのタイミング、画像データの画素への書込みの順序の切り替えのタイミング、および、光源の発光のタイミングのうちの少なくとも１つを制御するタイミング制御回路をさらに備える。このように構成すれば、タイミング制御回路により、容易に、複数の画素への画像データの書込み、黒色の画像データの書込み、画像データの画素への書込みの順序の切り替え、および、光源の発光のタイミングの少なくとも１つを制御することができる。
【００２０】
上記した複数の光源の発光が１つの画面が表示されている期間内にそれぞれ２回づつ行われる液晶表示装置おいて、好ましくは、画像データの画素への書込みの順序を第１の順序と第２の順序とに切り替える切替回路をさらに備える。このように構成すれば、切替回路により、容易に、画像データの画素への書込みの順序を第１の順序と第２の順序とに切り替えることができる。
【発明を実施するための最良の形態】
【００２１】
以下、本発明の実施形態を図面に基づいて説明する。
【００２２】
（第１実施形態）
図１は、本発明の第１実施形態によるフィールドシーケンシャル液晶表示装置の全体構成を示すブロック図である。図２は、本発明の第１実施形態による画素の構成を示す図である。まず、図１および図２を参照して、第１実施形態によるフィールドシーケンシャル液晶表示装置１００の構造について説明する。なお、第１実施形態では、液晶表示装置の一例であるフィールドシーケンシャル液晶表示装置１００に本発明を適用した場合について説明する。
【００２３】
第１実施形態によるフィールドシーケンシャル液晶表示装置１００は、図１に示すように、駆動部１と表示部２とから構成されている。以下、詳細に説明する。
【００２４】
図１に示すように、駆動部１は、Ａ／Ｄコンバータ１１と、ＰＬＬ（位相同期）回路１２と、メモリ制御部１３と、メモリ１４と、アナログドライバ１５と、タイミング制御回路１６と、レベル変換回路１７と、ＬＥＤ制御回路１８と、マイコン部１９とから構成されている。
【００２５】
また、Ａ／Ｄコンバータ１１と、ＰＬＬ回路１２と、メモリ制御部１３とは接続されている。Ａ／Ｄコンバータ１１は、アナログのビデオ信号をＲ（赤）Ｇ（緑）Ｂ（青）のデジタル信号に変換する機能を有する。また、ＰＬＬ回路１２は、水平同期信号からメモリ１４に書き込むクロックを生成するとともに、フィールドシーケンシャル駆動に必要なクロックを生成する機能を有する。また、メモリ制御部１３は、ＲＧＢのデジタル信号に変換されたビデオ信号をＲＧＢごとにメモリ１４に格納するタイミング信号を生成するとともに、フィールドシーケンシャル駆動に必要な呼び出しのタイミング信号を生成する機能を有する
【００２６】
また、Ａ／Ｄコンバータ１１とメモリ１４とは、接続されている。また、メモリ制御部１３とメモリ１４とは、接続されている。メモリ１４は、ＲＧＢのデジタル信号を記憶する機能を有する。
【００２７】
また、メモリ１４とアナログドライバ１５とは、接続されている。アナログドライバ１５は、ＲＧＢのデジタル信号をＲＧＢのアナログ信号に変換するとともに、ＲＧＢのアナログ信号を表示部２に供給する機能を有する。
【００２８】
また、タイミング制御回路１６は、メモリ１４と、レベル変換回路１７と、ＬＥＤ制御回路１８とに接続されている。タイミング制御回路１６は、後述する画素２２、上下左右反転回路２６および黒書込み回路２７を駆動するタイミング信号を生成する機能を有する。また、レベル変換回路１７は、画素２２を駆動するためのパルス（水平・垂直コントロール信号、フィールドシーケンシャル駆動用コントロール信号）を生成する機能を有する。また、ＬＥＤ制御回路１８は、フィールドシーケンシャル駆動のタイミングに合せて後述するＬＥＤ２８の発光および発光の停止を制御する機能を有する。
【００２９】
また、マイコン部１９は、駆動部１に含まれる全ての回路と接続されており、駆動部１全体の動作を制御する機能を有している。
【００３０】
また、図１に示すように、表示部２は、基板２１と、複数の画素２２と、複数の画素２２に接続されるＨドライバ２３およびＶドライバ２４と、Ｈドライバ２３およびＶドライバ２４を駆動する内部駆動回路２５と、内部駆動回路２５に含まれる上下左右反転回路２６および黒色書込み回路２７と、画素２２のバックライトとして赤色（Ｒ）、緑色（Ｇ）および青色（Ｂ）を発光するＬＥＤ２８（２８ａ〜２８ｃ）とから構成されている。なお、上下左右反転回路２６は、本発明の「切替回路」の一例である。また、ＬＥＤ２８は、本発明の「光源」の一例である。ここで、第１実施形態では、上下左右反転回路２６は、複数の画素２２に画像データを書き込む順序を上下方向および左右方向に反転させる機能を有する。また、黒色書込み回路２７は、複数の画素２２の全てに一斉に黒色を書き込む機能を有しており、ＲＧＢの色を書き込む信号を供給するアナログドライバ１５とは、別の回路により構成されている。
【００３１】
また、図２に示すように、基板２１上には、複数の信号線３１と、複数の走査線３２とが互いに直交するように配置されている。信号線３１は、Ｈドライバ２３に接続されているとともに、走査線３２は、Ｖドライバ２４に接続されている。信号線３１と走査線３２とが交差する位置には、画素２２が配置されている。なお、図２には、簡素化のために４画素分の構成のみを示している。各々の画素２２は、ｎチャネルトランジスタ２２１と、画素電極２２２と、画素電極２２２に対向配置された共通電極２２３と、画素電極２２２と共通電極２２３との間に挟持された液晶２２４と、補助容量２２５とによって構成されている。そして、ｎチャネルトランジスタ２２１のドレイン領域Ｄは、信号線３１に接続されているとともに、ソース領域Ｓは、画素電極２２２と補助容量２２５の一方の電極とに接続されている。また、ｎチャネルトランジスタ２２１のゲートＧは走査線３２に接続されている。
【００３２】
図３は、本発明の第１実施形態によるフィールドシーケンシャル液晶表示装置の複数のＬＥＤの発光するタイミングを示す図である。図４〜図７は、本発明の第１実施形態によるフィールドシーケンシャル液晶表示装置の動作を説明するための図である。次に、図１〜図７を用いて、本発明の第１実施形態によるフィールドシーケンシャル液晶表示装置１００の動作について説明する。
【００３３】
まず、図１に示すように、アナログのビデオ信号がＡ／Ｄコンバータ１１に入力されるとともに、アナログのビデオ信号がＲＧＢのデジタル信号に変換される。また、水平・垂直同期信号がＰＬＬ回路１２に入力される。また、メモリ制御部１３によって生成された、赤色、緑色および青色の信号ごとにメモリ１４に格納するタイミング信号にしたがって、ＲＧＢのデジタル信号が、メモリ１４に格納される。
【００３４】
また、タイミング制御回路１６により、ＲＧＢの画像データおよび黒色の画像データの書込みのタイミング、画像データの画素２２への書込みの順序の切り替えのタイミング、および、ＬＥＤ２８の発光のタイミング信号が生成される。このタイミング制御回路１６によって生成されたタイミング信号に基づいて、水平・垂直コントロール信号およびフィールドシーケンシャル駆動用コントロール信号がレベル変換回路１７を介して、表示部２に供給されることにより、ＲＧＢの画像データ、黒色の画像データの書込みおよび画像データの画素２２への書込みの順序の切り替えが行われる。また、ＬＥＤ２８の発光が行われる。
【００３５】
また、図３に示すように、ＬＥＤ制御回路１８からの信号により、１フレーム（１つの画面が表示されている期間）の間に、赤色画像の書込み、赤色のＬＥＤ２８ａの発光、緑色画像の書込み、緑色のＬＥＤ２８ｂの発光、青色画像の書込み、および、青色のＬＥＤ２８ｃの発光がそれぞれ２回づつ行われるフィールドシーケンシャル駆動が行われる。なお、赤色、緑色および青色のそれぞれの画像を表示するための期間を１フィールドと呼ぶ。また、１フレーム分の動作は、６０Ｈｚ（約１６．６６ｍｓ）で駆動されている。また、各１フィールドの動作は、１フレーム分の動作の６倍の速さの３６０Ｈｚ（約２．７７ｍｓ）で駆動されている。なお、第１実施形態では、各色２回づつ行われるＬＥＤ２８の発光において、１回目の発光と、２回目の発光では動作が異なる。以下に、１回目の発光と、２回目の発光とをそれぞれについて説明する。
【００３６】
（１回目の発光）
まず、図４に示すように、１フィールドの間には、黒色書込み期間と、書込み期間と、応答期間と、赤（緑、青）色発光期間とが含まれている。まず、基板２１上に形成される黒色書込み回路（図１参照）からの黒色の書込み信号により、全ての画素２２に黒色の画像データが書き込まれる。この黒色の画像データが書き込まれる黒色書込み期間は、約０．１ｍｓである。なお、黒色の書込みは、複数の画素２２の最後に走査される第ｎ画素が走査された後、最初に走査される第１画素が走査されるまでの間の垂直帰線期間に行われる。
【００３７】
次に、図５に示すように、複数の画素２２のうちの左上の画素２２である第１画素に赤色の画像データが書き込まれる。そして、第１画素に含まれる液晶２２４（図２参照）が応答する応答時間（液晶に電圧をかけた際、液晶分子が配列を変えるまでに必要な時間）の経過後、赤色を発光するＬＥＤ２８ａ（図１参照）が発光する。
【００３８】
次に、図５に示すように、第２画素〜第ｎ画素に順次赤色の画像データが書込み順序Ａに従って書き込まれる。なお、画素２２に赤色のデータが書き込まれる順序は、複数の画素２２のうちの左上の画素２２（第１画素）から始まって、Ｘ１方向に順次書き込まれるとともに、１行分の画素２２が書き込まれた後は、下の行の画素２２が左端から順次Ｘ１方向に書き込まれる。このようにして、右下の画素２２（第ｎ画素）まで、赤色のデータが書き込まれる。ここで、赤色のデータが書き込まれた画素２２は、オン状態となり、赤色のＬＥＤ２８ａの光を透過する。また、赤色のＬＥＤ２８ａが発光してから順次第２画素〜第ｎ画素に赤色のデータが書き込まれるので、図４に示すように、各画素２２に対応する赤色のＬＥＤ２８ａの光が透過する期間（赤色発光期間）は、第１画素が一番長く、書込みの順序に従って短くなり、第ｎ画素が一番短くなっている。
【００３９】
また、赤色のＬＥＤ２８ａは、次の緑色の画像データが表示されるフィールドが始まるとき（図３参照）に、発光が停止される。
【００４０】
次に、図４に示すように、赤色の画像データが表示されるフィールドの動作と同様に、垂直帰線期間に、黒色書込み回路２７（図１参照）からの黒色の書込み信号により、全ての画素２２に黒色の画像データが書き込まれた後、緑色の画像データの書込みと、緑色を発光するＬＥＤ２８ｂの発光とが行われる。緑色の画像データが表示された後は、同様に青色の画像データが表示される動作が行われる。これにより、赤色、緑色および青色のＬＥＤ２８ａ〜２８ｃの１回目の発光が終了する。
【００４１】
（２回目の発光）
まず、図６に示すように、黒色書込み回路２７（図１参照）からの黒色の書込み信号により、全ての画素２２に黒色の画像データが書き込まれる。この黒色の画像データが書き込まれる黒色書込み期間は、約０．１ｍｓである。なお、黒色の書込みは、垂直帰線期間に行われる。
【００４２】
次に、図７に示すように、基板２１上に形成される上下左右反転回路２６（図１参照）からの信号により、２回目の赤色の発光では、１回目の赤色の発光と異なり、複数の画素２２のうちの右下の画素２２である第ｎ画素に赤色の画像データ（１回目の発光時と同じ画像データ）が書き込まれる。そして、第ｎ画素に含まれる液晶２２４（図２参照）が応答する応答時間の経過後、赤色を発光するＬＥＤ２８ａ（図１参照）が発光する。
【００４３】
次に、図７に示すように、第ｎ−１画素〜第１画素に順次赤色の画像データが書込み順序Ｂに従って書き込まれる。なお、画素２２に赤色のデータが書き込まれる順序は、複数の画素２２のうちの右下の画素２２（第ｎ画素）から始まって、Ｘ２方向に順次書き込まれるとともに、１行分の画素２２が書き込まれた後は、１つ上の行の画素２２が右端から順次Ｘ２方向に書き込まれる。このようにして、左上の画素２２（第１画素）まで、赤色のデータが書き込まれる。ここで、赤色のデータが書き込まれた画素２２は、オン状態となり、赤色のＬＥＤ２８ａの光を透過する。また、赤色のＬＥＤ２８ａが発光してから順次第ｎ−１画素〜第１画素に赤色のデータが書き込まれるので、図６に示すように、各画素２２に対応する赤色のＬＥＤ２８ａの光が透過する期間（赤色発光期間）は、第ｎ画素が一番長く、書込みの順序に従って短くなり、第１画素が一番短くなっている。
【００４４】
このように、２回目の赤色の発光時の画像データの書込みと、１回目の赤色の発光時の画像データの書込みとでは、書込みの順序が上下左右方向に反転している。
【００４５】
また、赤色のＬＥＤ２８ａは、次の緑色の画像データが表示されるフィールドが始まるとき（図３参照）に、発光が停止される。
【００４６】
次に、図６に示すように、赤色の画像データが表示されるフィールドの動作と同様に、垂直帰線期間に、黒色書込み回路２７（図１参照）からの黒色の書込み信号により、全ての画素２２に黒色の画像データが書き込まれた後、緑色の画像データの書込みと、緑色を発光するＬＥＤ２８ｂの発光が行われる。緑色の画像データが表示された後は、同様に青色の画像データが表示される動作が行われる。これにより、赤色、緑色および青色のＬＥＤ２８ａ〜２８ｃの２回目の発光が終了する。
【００４７】
上記のように、１フレーム期間中に、赤色、緑色および青色のＬＥＤ２８ａ〜２８ｃが各々２回づつ発光することにより、フィールドシーケンシャル駆動が行われる。
【００４８】
第１実施形態では、上記のように、画素２２に画像データを書き込みながら、赤色、緑色および青色のＬＥＤ２８ａ〜２８ｃのうちの１つを発光させることによって、複数の画素２２の全てに画像データが書き込まれた後にＬＥＤ２８ａ〜２８ｃのうちの１つが発光するように構成する場合に比べて、ＬＥＤ２８ａ〜２８ｃのうちの１つが発光している時間をより長くすることができるので、フィールドシーケンシャル液晶表示装置１００の表示を明るくすることができる。また、赤色、緑色および青色のＬＥＤ２８ａ〜２８ｃのうちの１つを発光させるとともに、これとは異なる色のＬＥＤ２８ａ〜２８ｃが発光される前に赤色、緑色および青色を発光するＬＥＤ２８ａ〜２８ｃのうちの１つの発光を停止するように構成することによって、複数の色のＬＥＤ２８ａ〜２８ｃが同時に発光することが抑制されるので、複数の画素２２が配置される画素領域において混色が起こるのを抑制することができる。
【００４９】
また、第１実施形態では、上記のように、ＬＥＤ２８ａ〜２８ｃは、複数の画素２２のうちの最初に画像データが書き込まれる画素２２（第１画素）の液晶２２４の応答時間の経過後、発光するように構成することによって、複数の画素２２の全てについて、画素２２の液晶２２４の応答時間が経過した後に、ＬＥＤ２８ａ〜２８ｃが発光するように構成する場合に比べて、ＬＥＤ２８ａ〜２８ｃが発光している時間をより長くすることができるので、フィールドシーケンシャル液晶表示装置１００の表示を明るくすることができる。
【００５０】
また、第１実施形態では、上記のように、赤色、緑色および青色のうち１つの色を発光するＬＥＤ２８ａ〜２８ｃの発光が停止された後、これとは異なる色を発光するＬＥＤ２８ａ〜２８ｃの発光が開始される前に、複数の画素２２の全てに黒色の画像データが書き込まれるように構成することによって、黒色の画像データの書込みにより、黒色の画像データが書き込まれる以前のデータが消去されるので、画素２２に画像データを書き込みながら、赤色、緑色および青色のうち１つの色のＬＥＤ２８ａ〜２８ｃが発光するように構成しても、以前のデータの画像が表示されてしまうのを抑制することができる。
【００５１】
また、第１実施形態では、上記のように、複数の画素２２の全てに画像データを書き込んだ後で、かつ、赤色、緑色および青色のうち１つの色を発光するＬＥＤ２８ａ〜２８ｃの発光が停止された後の垂直帰線期間に、複数の画素２２の全てに黒色の画像データが書き込まれるように構成することによって、容易に、画像データの画像を表示することと、書き込まれた画像データを消去することとを行うことができる。
【００５２】
また、第１実施形態では、上記のように、画素２２への黒色の画像データの書込みの制御を行う黒色書込み回路２７を備えることによって、容易に、画素２２への黒色の画像データの書込み信号を供給することができる。
【００５３】
また、第１実施形態では、上記のように、黒色書込み回路２７は、複数の画素２２の全てに一斉に黒色の画像データを書き込むように構成されていることによって、制御が簡素化されるので、複数の画素２２への黒色の書込み時間を短くすることができる。これにより、ＬＥＤ２８ａ〜２８ｃの発光時間を長くすることができる。
【００５４】
また、第１実施形態では、上記のように、複数のＬＥＤ２８ａ〜２８ｃの発光が、１フレーム内にそれぞれ２回づつ行われるように構成することによって、複数のＬＥＤ２８ａ〜２８ｃの発光が、１つの画面が表示されている期間内に１回づつ行われる場合に比べて、１つのＬＥＤ２８ａ〜２８ｃの発光時間が短くなるので、目の動きに対して色残りを小さくすることができる。その結果、画面の中で視線を早く移動させたときに虹模様が見える、カラーブレークアップが起こるのを抑制することができる。
【００５５】
また、第１実施形態では、上記のように、１フレーム内に複数のＬＥＤ２８ａ〜２８ｃの発光がそれぞれ２回づつ行われる場合に、１回目の発光が行われているときの画像データの書込みが書込み順序Ａで行われるとともに、２回目の発光が行われているときの画像データの書込みは書込み順序Ａとは逆の書込み順序Ｂで行われるように構成することによって、ＬＥＤ２８ａ〜２８ｃの各色のそれぞれについて、１フレーム内に画像データが書込み順序Ａとその逆の書込み順序Ｂとによって書き込まれるので、複数の画素２２のそれぞれにおいて、画像データが書き込まれてからＬＥＤ２８ａ〜２８ｃの発光が停止されるまでの期間が１フレーム内で平均化される。これにより、画面の明るさにばらつきが生じるのを抑制することができる。
【００５６】
また、第１実施形態では、上記のように、複数の画素２２への画像データの書込み、画像データの画素２２への書込みの順序の切り替え、および、ＬＥＤ２８ａ〜２８ｃの発光のタイミングを制御するタイミング制御回路１６を備えることによって、タイミング制御回路１６により、容易に、複数の画素２２への画像データの書込み、黒色の画像データの書込み、赤色、緑色および青色の画像データの画素２２への書込みの順序の切り替え、および、ＬＥＤ２８ａ〜２８ｃの発光のタイミングを制御することができる。
【００５７】
また、第１実施形態では、上記のように、画像データの画素２２への書込みの順序を書込み順序Ａと書込み順序Ｂとに切り替える上下左右切替回路２６を備えることによって、上下左右切替回路２６により、容易に、画像データの画素２２への書込みの順序を書込み順序Ａと書込み順序Ｂとに切り替えることができる。
【００５８】
（第２実施形態）
図８および図９は、本発明の第２実施形態による１フィールド期間中における動作のタイミングを示す図である。図８および図９を参照して、この第２実施形態では、上記第１実施形態と異なり、画素２２への画像データの書込みが行われる前にＬＥＤ２８ａ〜２８ｃが発光するフィールドシーケンシャル液晶表示装置２００について説明する。
【００５９】
この第２実施形態によるフィールドシーケンシャル液晶表示装置２００は、図８に示すように、１フィールド期間は、黒色書込み期間、赤（緑、青）色発光期間、書込み期間および応答期間から構成されている。ここで、第２実施形態では、黒色書込み期間の後、赤（緑、青）色のＬＥＤ２８ａ（２８ｂ、２８ｃ）が発光する。そして、赤（緑、青）色のＬＥＤ２８ａ（２８ｂ、２８ｃ）の発光の後に、書込み順序Ａに従って、第１画素〜第ｎ画素への画像データの書込みが行われる。
【００６０】
また、図９に示すように、書込み順序Ｂについても同様に、黒色書込み期間の後、赤（緑、青）色のＬＥＤ２８ａ（２８ｂ、２８ｃ）が発光する。そして、赤（緑、青）色のＬＥＤ２８ａ（２８ｂ、２８ｃ）の発光の後に、書込み順序Ｂに従って、第ｎ画素〜第１画素への画像データの書込みが行われる。
【００６１】
なお、第２実施形態のその他の構成および動作は、上記第１実施形態と同様である。
【００６２】
第２実施形態では、上記のように、ＬＥＤ２８ａ〜２８ｃは、複数の画素２２に画像データが書き込まれる前に、発光するように構成されていることによって、複数の画素２２の全てに画像データが書き込まれ、画素２２の液晶２２４の応答時間が経過した後に、ＬＥＤ２８ａ〜２８ｃが発光するように構成する場合に比べて、ＬＥＤ２８ａ〜２８ｃが発光している時間を長くすることができるので、フィールドシーケンシャル液晶表示装置２００の表示を明るくすることができる。
【００６３】
なお、第２実施形態のその他の効果は、上記第１実施形態と同様である。
【００６４】
（第３実施形態）
図１０は、本発明の第３実施形態によるフィールドシーケンシャル液晶表示装置の複数の光源の発光するタイミングを示す図である。図１０を参照して、この第３実施形態では、上記第１実施形態と異なり、画素２２への書込みにおいて、書込み順序Ａと書込み順序Ｂとが交互に行われるフィールドシーケンシャル液晶表示装置３００について説明する。
【００６５】
この第３実施形態によるフィールドシーケンシャル液晶表示装置３００は、図１０に示すように、１フィールド期間に、赤色、緑色および青色のＬＥＤ２８ａ〜２８ｃの発光が順次２回づつ行われ、それぞれのＬＥＤ２８ａ〜２８ｃが発光しているときの複数の画素２２への画像データの書込みは、書込み順序Ａと書込み順序Ｂとが交互に行われるように構成されている。
【００６６】
なお、第３実施形態のその他の構成および動作は、上記第１実施形態と同様である。
【００６７】
第３実施形態では、上記のように、１フィールド期間内に、画像データの書込みが書込み順序Ａで行われる動作と書込み順序Ｂで行われる動作とが交互に行われるように構成することによって、赤色、緑色および青色のＬＥＤ２８ａ〜２８ｃが順次２回づつ発光されるとともに、それぞれの色の発光期間に画像データが書込み順序Ａと書込み順序Ｂとによって書き込まれるので、複数の画素２２のそれぞれにおいて、画像データが書き込まれてからＬＥＤ２８ａ〜２８ｃの発光が停止されるまでの期間が１つの画面が表示される期間内で平均化される。これにより、画面の明るさにばらつきが生じるのを抑制することができる。
【００６８】
なお、第３実施形態のその他の効果は、上記第１実施形態と同様である。
【００６９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７０】
たとえば、上記第１実施形態〜第３実施形態では、光源としてＬＥＤを用いる例を示したが、本発明はこれに限らず、たとえば、有機ＥＬのような他の発光体を用いてもよい。
【００７１】
また、上記第１実施形態〜第３実施形態では、複数の画素への画像データの書込み順序Ａについて、その逆の例として行と列方向とも逆の書込み順序Ｂを示したが、行または列の一方向のみ逆の順序で書き込んでもよい。
【００７２】
また、上記第１実施形態〜第３実施形態では、複数の画素への画像データの書込みを、書込み順序Ａと書込み順序Ｂとによって異ならせる例を示したが、本発明はこれに限らず、書込み順序Ａと書込み順序Ｂとのうち一方の書込み順序によって画像データを書き込んでもよい。
【図面の簡単な説明】
【００７３】
【図１】本発明の第１実施形態によるフィールドシーケンシャル液晶表示装置の全体構成を示すブロック図である。
【図２】本発明の第１実施形態による画素の構成を示す図である。
【図３】本発明の第１実施形態によるフィールドシーケンシャル液晶表示装置の複数のＬＥＤの発光するタイミングを示す図である。
【図４】本発明の第１実施形態による１フィールド中における各動作の期間を示す図である。
【図５】本発明の第１実施形態による画像データの書込み順序を示す図である。
【図６】本発明の第１実施形態による１フィールド中における各動作の期間を示す図である。
【図７】本発明の第１実施形態による画像データの書込み順序を示す図である。
【図８】本発明の第２実施形態による１フィールド中における各動作の期間を示す図である。
【図９】本発明の第２実施形態による１フィールド中における各動作の期間を示す図である。
【図１０】本発明の第３実施形態によるフィールドシーケンシャル液晶表示装置の複数のＬＥＤの発光するタイミングを示す図である。
【符号の説明】
【００７４】
１６  タイミング制御回路
２２  画素
２６  上下左右反転回路（切替回路）
２７  黒色書込み回路
２８、２８ａ、２８ｂ、２８ｃ  ＬＥＤ（光源）
２２４  液晶
【図１】
2008241961.tif 000003
【図２】
2008241961.tif 000004
【図３】
2008241961.tif 000005
【図４】
2008241961.tif 000006
【図５】
2008241961.tif 000007
【図６】
2008241961.tif 000008
【図７】
2008241961.tif 000009
【図８】
2008241961.tif 000010
【図９】
2008241961.tif 000011
【図１０】
2008241961.tif 000012